【事件の表示】
　平成１０年特許願第２００５４７号「インクジェット記録方法」拒絶査定不服審判事件〔平成１１年　３月２３日出願公開、特開平１１−　７８２１２〕について、次のとおり審決する。
【結　論】
　本件審判の請求は、成り立たない。
【理　由】
１．手続の経緯・本願発明
　本願は、平成１０年７月１５日（国内優先権主張　平成９年７月１６日）の出願であって、その請求項１ないし８に係る発明は、平成１７年８月２９日付け手続補正書で補正された明細書の特許請求の範囲の請求項１ないし８に記載された事項により特定されるものであるところ、その請求項１に係る発明（以下「本願発明」という。）は次のとおりのものである。
「【請求項１】　記録媒体に、反応液とインク組成物とを付着させて、印字を行うインクジェット記録方法であって、
　前記反応液が多価金属塩を含んでなり、
　前記インク組成物が、顔料、酸価１００〜３００の水溶性樹脂分散剤、および水性溶媒を少なくとも含んでなるものである、インクジェット記録方法。」
　
２．刊行物の記載事項
　原査定の拒絶の理由に引用され、本願の出願前に日本国内において頒布された特開平９−２９９５０号公報（以下「刊行物１」という。）には次のような事項が記載されている。
(1a)「【請求項１】　多価金属塩を含んでなる第一液を記録媒体に付着させ、その後該記録媒体にインク組成物を印字するインクジェット記録方法を実施するインクジェット記録装置であって、
前記第一液と前記インク組成物とを収納し、かつ前記インク組成物および前記第一液の収納量が、前記インク組成物が先に消費し尽くされるものとされた、インクジェット記録装置。」
(1b)「【００１０】
【発明の具体的説明】
インクジェット記録装置
本発明によるインクジェット記録装置は、多価金属塩を含んでなる第一液を記録媒体に付着させ、その後この記録媒体にインク組成物を印字する工程を含んでなるインクジェット記録方法を実施するものである。このインクジェット記録方法の詳細は後記するが、第一液を付着させた記録媒体にインク組成物をさらに印字することで、にじみなどの少ない良好な印字が可能なものである。」
(1c)「【００２４】インク組成物
本発明において用いられるインク組成物は、基本的に着色剤と、有機溶媒と、水とを含んでなる。
【００２５】着色剤としては、染料、顔料のいずれであってもよい。
【００２６】染料としては、直接染料、酸性染料、食用染料、塩基性染料、反応性染料、分散染料、建染染料、可溶性建染染料、反応分散染料、など通常インクジェット記録に使用する各種染料使用することができる。
【００２７】顔料としては、特別な制限なしに無機顔料、有機顔料を使用することができる。無機顔料としては、酸化チタンおよび酸化鉄に加え、コンタクト法、ファーネスト法、サーマル方などの公知の方法によって製造されたカーボンブラックを使用することができる。また、有機顔料としては、アゾ染料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用できる。」
(1d)「【００２８】本発明の好ましい態様によれば、これらの顔料は、分散剤で水性媒体中に分散させて得られた顔料分散液としてインクに添加されるのが好ましい。好ましい分散剤としては、顔料分散液を調整するのに慣用されている分散剤、例えば高分子分散剤、界面活性剤を使用することができる。」
(1e)「【００３０】有機溶媒は、好ましくは低沸点有機溶剤であり、その好ましい例としては、メタノール、エタノール、ｎ−プロピルアルコール、ｉｓｏ−プロピルアルコール、ｎ−ブタノール、ｓｅｃ−ブタノール、ｔｅｒｔ−ブタノール、ｉｓｏ−ブタノール、ｎ−ペンタノールなどがあげられる。特に一価アルコールが好ましい。低沸点有機溶剤は、インクの乾燥時間を短くする効果がある。」
(1f)「【００４４】第一液
本発明において用いられる第一液に含まれる多価金属塩とは、２価以上の多価金属イオンとこれら多価金属イオンに結合する陰イオンとから構成され、水に可溶なものである。多価金属イオンの具体例としては、Ｃａ2+、Ｃｕ2+、Ｎｉ2+、Ｍｇ2+、Ｚｎ2+、Ｂａ2+などの二価金属イオンＡｌ3+、Ｆｅ3+、Ｃｒ3+などの三価金属イオンがあげられる。陰イオンとしては、Ｃｌ- 、ＮＯ3-、Ｉ- 、Ｂｒ- 、ＣｌＯ3 - およびＣＨ3 ＣＯＯ- などがあげられる。
【００４５】とりわけ、Ｃａ2+またはＭｇ2+より構成される金属塩は、第一液のｐＨ、得られる印刷物の品質という２つの観点から、好適な結果を与える。
【００４６】本発明の好ましい態様によれば、本発明に使用する第一液は、さらに湿潤剤および／または低沸点有機溶剤を含んでいることが好ましい。湿潤剤は、第一液の乾燥を防ぐことによりヘッドの目詰まりを防止する。低沸点有機溶剤は、インクの乾燥時間を短くする効果がある。湿潤剤および低沸点有機溶剤の好ましい例および添加量は、インク組成物の項で記載した内容と同一であってよい。
【００４７】また、この第一液は、カラー着色剤を添加して着色され、インク組成物の機能を兼ね備えたものとされてもよい。」
　　
　同じく原査定の拒絶の理由に引用され、本願の出願前に日本国内において頒布された特開平９−１７６５３３号公報（以下「刊行物２」という。）には次のような事項が記載されている。 
(2a)「【請求項１】　顔料と、樹脂分散剤と、熱可塑性樹脂エマルジョンと、水とを含有し、前記顔料と前記樹脂分散剤との重量比が２０：１〜５：２である、インクジェット記録用インク組成物。
」
(2b)「【００１８】本発明のインク組成物においては、顔料として、有機顔料又は無機顔料、例えば、インクジェット記録用インク組成物において従来から使用されている有機顔料又は無機顔料を用いることができる。無機顔料としては、酸化チタン及び酸化鉄や、コンタクト法、ファーネスト法、又はサーマル法などの公知の方法によって製造されたカーボンブラックを利用することができる。また、有機顔料としては、アゾ顔料（例えば、アゾレーキ、不溶性アゾ顔料、縮合アゾ顔料、又はキレートアゾ顔料）、多環式顔料（例えば、フタロシアニン顔料、ペリレン顔料、ベリノン顔料、アントラキノン顔料、キナクリドン顔料、ジオキサジン顔料、チオインジゴ顔料、イソインドリノン顔料、又はキノフタロン顔料）、染料キレート（例えば、塩基性染料型キレート、又は酸性染料型キレート）、ニトロ顔料、ニトロソ顔料、又はアニリンブラックなどを利用することができる。これらの顔料の内、水と親和性のよい顔料を用いるのが好ましい。」
(2c)「【００２３】本発明によるインク組成物は、前記顔料をインク組成物内で微粒子状で分散安定化させることのできる樹脂分散剤を含有する。使用することのできる樹脂分散剤としては、例えば、親水性部分と疎水性部分とを分子中に有する共重合体樹脂、具体的には、アクリル酸系分散剤、例えば、スチレン−アクリル酸共重合体、スチレン−アクリル酸−アクリル酸エステル共重合体、スチレン−メタクリル酸共重合体、又はスチレン−メタクリル酸−アクリル酸エステル共重合体、マレイン酸系分散剤、例えば、スチレン−マレイン酸共重合体、アクリル酸エステル−マレイン酸共重合体、又はスチレン−アクリル酸エステル−マレイン酸共重合体、スルホン酸系分散剤、例えば、アクリル酸エステル−スチレンスルホン酸共重合体、スチレン−メタクリルスルホン酸共重合体、又はアクリル酸エステル−アリルスルホン酸共重合体、あるいはこれらの塩を挙げることができる。重量平均分子量（以下、単に分子量と称す）が１６００〜２５０００で、酸価が１００〜２５０の共重合体樹脂、特にスチレンアクリル酸共重合体樹脂を用いるのが好ましい。分子量が１６００〜２５０００で、しかも酸価の値が１００〜２５０の範囲以外の共重合体樹脂、特にスチレンアクリル酸共重合体樹脂を使用すると、インク組成物の長期放置により、インク組成物中に顔料の凝集物が発生することがある等、インク組成物の放置安定性を確保することができないという問題が起こる場合がある。
【００２４】前記の樹脂分散剤は、それ自体公知の方法（例えば、塊状重合や溶液重合）によって調製することもできるが、市販の樹脂分散剤を用いることもできる。市販の樹脂分散剤の例としては、ジョンソンポリマー株式会社製の、ジョンクリル６８（分子量＝１００００；酸価＝１９５）、ジョンクリル６７９（分子量＝７０００；酸価＝２００）、ジョンクリル６８０（分子量＝３９００；酸価＝２１５）、ジョンクリル６８２（分子量＝１６００；酸価＝２３５）、ジョンクリル５５０（分子量＝７５００；酸価＝２００）、ジョンクリル５５５（分子量＝５０００；酸価＝２００）、ジョンクリル５８６（分子量＝３１００；酸価＝１０５）、ジョンクリル６８３（分子量＝７３００；酸価＝１５０）、又はＢ−３６（分子量＝６８００；酸価＝２５０）等を挙げることができる。
【００２５】本発明のインク組成物においては、前記顔料と前記樹脂分散剤との重量比（顔料：樹脂分散剤）は２０：１〜５：２の範囲内である。
【００２６】樹脂分散剤の含有量がこの比率より低くなると、インク組成物を放置した場合の顔料の分散安定性が経時的に劣化し、凝集が発生したり、粘度特性が劣化したりする。樹脂分散剤の含有量が前記の比率より高くなると、インク組成物の乾燥時に必要となる再分散性を得ることができない。」
(2e)「【００９７】＜実施例１＞
（１）顔料分散液の作成
スチレンーアクリル酸共重合体樹脂（重量平均分子量＝２５０００；酸価＝２００）４部、トリエタノールアミン２．７部、イソプロピルアルコール０．４部、及びイオン交換水７２．９部を７０℃の加温下で完全溶解させた。次に、カーボンブラックＭＡ−１００（三菱化成株式会社製）２０部を加え、プレミキシングを行った後、アイガーミル（アイガージャパン社製）で顔料の平均粒子径が１００ｎｍになるまで分散を行った（ビーズ充填率７０％、メディア径０．７ｍｍ）。こうして顔料分散液を得た。
【００９８】
（２）インク組成物の調製
次に、前記の顔料分散液を用い、以下に示す組成でインク組成物を調製した。
【００９９】
 前記の顔料分散液　　　　　　　　　　　　　　　１０部
 スチレンアクリルエステルエマルジョン　　　　　１５部(固形分として)
 ジエチレングリコール　　　　　　　　　　　　　　３部
 マルチトール　　　　　　　　　　　　　　　　　１０部(固形分として)
 アセチレングリコール系界面活性剤　　　 　 　０．１部
 アニオン界面活性剤　　　　　　　　　　　　　０．３部
 燐酸水素二ナトリウム　　　　　　　　　　　　０．１部
 イオン交換水　　　　　　　　　　　　　　　３６．５部
なお、スチレンアクリルエステルエマルジョンは、固形分５０％品の水分散液であり、マルチトールは固形分８０％の水溶液であるため、前記の値は固形分換算した値で示してある。なお、アセチレングリコール系界面活性剤としては、サーフィノール４６５（日信化学工業；２，４，７，９−テトラメチル−５−デシン−４，７−ジオールのポリエチレンオキサイド付加物）を用いた。また、アニオン界面活性剤としては、ハイテノールＮ．０７（ポリオキシエチレンアルキルノニルフェニルエーテル）を用いた。
【０１００】前記の各配合成分を混合してインク組成物とした。こうして得られたインク組成物を、金属メッシュフィルター（真鍋工業株式会社製；綾織り２３００メッシュ）に通し、本発明の実施例１のインク組成物を得た。
【０１０１】＜実施例２〜２０＞以下の表１及び表２に記載の配合成分を以下の表１及び表２に記載の配合量で用いることを除いて、前記実施例１に記載の製造方法を繰り返すことにより、本発明によるインクジェット記録用インク組成物を得た。なお、表中の値は重量％での添加量を示す。
【０１０２】＜比較例１＞
（１）顔料分散液の作成
　スチレン−マレイン酸−マレイン酸ハーフエステル共重合体　　　４部
　　（酸価＝７０；重量平均分子量＝１２０００）
　２−アミノ−２−メチル−１−アミノプロパノール　　　　　　　２部
　イオン交換水　　　　　　　　　　　　　　　　　　　　　　　７４部
　ジエチレングリコール　　　　　　　　　　　　　　　　　　　　５部
前記の各配合成分を混合し、６０℃の加温下で完全に溶解させた。この溶液に、カーボンブラック（ＭＣＦ８８　三菱化成株式会社製）１５部を加え、プレミキシング（容器中の混合物の撹拌）を行った後、アイガーミル（アイガージャパン社製）で分散を行い（ビーズ充填率７０％、メディア径０．７ｍｍ）、顔料分散液を得た。
【０１０３】（２）インク組成物の調製
次に、前記の顔料分散液を用い以下に示す組成でインク組成物に調整した。
【０１０４】
　前記の顔料分散液　　　　　　　　　　　　　　　　　　　　　３０部
　グリセリン　　　　　　　　　　　　　　　　　　　　　　　　　９部
　ジエチレングリコール　　　　　　　　　　　　　　　　　　　　４部
　プロパノール　　　　　　　　　　　　　　　　　　　　　　　　４部
　アセチレングリコール系界面活性剤　　　　　　　　　　　　０．３部
　イオン交換水　　　　　　　　　　　　　　　　　　　　　５２．７部
なお、アセチレングリコール系界面活性剤としては、サーフィノール４６５（日信化学工業；２，４，７，９−テトラメチル−５−デシン−４，７−ジオール）を用いた。
【０１０５】前記の各配合成分を混合し、ｐＨ８〜１０になるように、２−アミノ−２−メチル−１−プロパノールを添加した。こうして得られたインク組成物を、金属メッシュフィルター（真鍋工業株式会社製　綾織り２３００メッシュ）に通し、比較例１のインク組成物を得た。なお、比較例１のインク組成物は、特開平６−１１６５２２号公報に記載の組成物とほぼ同様なインク組成を有する。」
　　
３．対比・判断
　刊行物１には、多価金属塩を含んでなる第一液を記録媒体に付着させ、その後該記録媒体に顔料を含むインク組成物を印字するインクジェット記録方法〔(1a)〜(1c)、(1f)参照〕、
　インク組成物に、顔料を高分子分散剤により水性媒体に分散させた顔料分散液として含ませること、及び乾燥時間を短くするため、メタノール、エタノール、ｎ−プロピルアルコール、ｉｓｏ−プロピルアルコール等の有機溶媒を含ませること〔(1d)、(1e)参照〕が記載されている。
　そうすると、刊行物１には、「記録媒体に、第一液を付着させて、その後該記録媒体にインク組成物を印字するインクジェット記録方法であって、
　前記第一液が多価金属塩を含んでなり、前記インク組成物が顔料、高分子分散剤、メタノール、エタノール、ｎ−プロピルアルコール、ｉｓｏ−プロピルアルコール等の有機溶媒を含んでなるインクジェット記録方法」が記載されていると認められる。
　そこで、本願発明と上記刊行物１に記載された発明とを対比すると、
　本願発明の反応液とインク組成物との付着とは、反応液を記録媒体に付着させその後該記録媒体にインク組成物を付着させる方法、インク組成物を印字した後反応液を付着させる方法、反応液とインク組成物をその射出直前または直後に混合する方法のいずれかによりなされるものであり（本願明細書段落【００１１】）、
　後者の「第一液」、「メタノール、エタノール、ｎ−プロピルアルコール、ｉｓｏ−プロピルアルコール等の有機溶媒」は、それぞれ、前者の「反応液」、「水性溶媒」に相当するから、
　両者は、「記録媒体に、反応液とインク組成物とを付着させて、印字を行うインクジェット記録方法であって、
　前記反応液が多価金属塩を含んでなり、
　前記インク組成物が、顔料、および水性溶媒を少なくとも含んでなるものである、インクジェット記録方法」である点で一致し、次の点で相違する。
　相違点：インク組成物が、本願発明では、酸価１００〜３００の水溶性樹脂分散剤を含むのに対して、刊行物１に記載された発明では、高分子分散剤を含む点。
　　
　上記相違点について検討する。
　刊行物１には、インク組成物に、顔料を高分子分散剤により水性媒体に分散させた顔料分散液として含ませることが記載され、本願発明においても、インク組成物の調製で、顔料を水溶性樹脂分散剤により水性媒体に分散させた顔料分散液としてからインク組成物に含ませているのであるから、顔料を分散剤により水性媒体に分散させた顔料分散液としてインク組成物に含ませることでは、本願発明と刊行物１に記載された発明とでは実質的な差異がない。
　そして、刊行物２にも、顔料を樹脂分散剤により水性媒体に分散させた顔料分散液によりインク組成物が樹脂分散剤を含むこと〔(2a)、(2b)参照〕が記載されており、さらに、樹脂分散剤として、酸価１００〜２５０の共重合体樹脂が、また、市販の樹脂分散剤として、ジョンソンポリマー株式会社製の、ジョンクリル６８（分子量＝１００００；酸価＝１９５）、ジョンクリル６７９（分子量＝７０００；酸価＝２００）、ジョンクリル６８０（分子量＝３９００；酸価＝２１５）、ジョンクリル６８２（分子量＝１６００；酸価＝２３５）、ジョンクリル５５０（分子量＝７５００；酸価＝２００）、ジョンクリル５５５（分子量＝５０００；酸価＝２００）、ジョンクリル５８６（分子量＝３１００；酸価＝１０５）、ジョンクリル６８３（分子量＝７３００；酸価＝１５０）、又はＢ−３６（分子量＝６８００；酸価＝２５０）等〔(2c)参照〕があること、及び顔料分散液の作成において、酸価２００の樹脂分散剤（実施例１）と酸価７０の樹脂分散剤（比較例１）とが水性媒体に完全溶解すること〔(2e)参照〕が記載されている。
　してみると、酸価１００〜２５０の樹脂分散剤は普通に使用されている分散剤にすぎないものであり、しかも、酸価２００の樹脂分散剤だけでなく酸価７０の樹脂分散剤も水性媒体に完全溶解することからみて、酸価が該７０より大きいような酸価１００〜２５０の樹脂分散剤も当然水溶性であるから、水溶性樹脂分散剤であるものである。
　したがって、刊行物１に記載された発明において、高分子分散剤として刊行物２に記載された水溶性樹脂分散剤の酸価１００〜２５０と重なるような酸価１００〜３００程度の水溶性樹脂分散剤を用いることは、当業者が容易に想到し得たことである。
　そして、本願発明が、酸価８０の水溶性樹脂分散剤を用いたインク組成物に比較して印刷濃度、カラーブリードにおいて優れるとする点は、刊行物２に記載の酸価１００〜２５０の水溶性樹脂分散剤の性能を確認したことにすぎないので、格別顕著な効果ということもできない。
　　
４．むすび
　以上のとおり、本願発明は、刊行物１、２に記載された発明に基づいて当業者が容易に発明をすることができたものであるから、特許法第２９条第２項の規定により特許を受けることができず、本願の他の請求項に係る発明を検討するまでもなく、本願は拒絶すべきものである。
　よって、結論のとおり審決する。